(57)【要約】【課題】本発明は、リモコン機能を有する携帯電話を提供することを目的とする。【解決手段】本発明に係る携帯電話は、タッチパネルと、携帯電話チップと、スイッチと、リモコンチップと、記憶装置と、発信装置と、を備え、記憶装置は、メニューモジュールと、其々のリモコンデータ及び機能の標示を記録した第一物体モジュールと第二物体モジュールとを備え、スイッチを押して、リモコン機能に切換え、メニューモジュールに記録された第一及び第二物体の標示はリモコンチップに読取られ、携帯電話チップに伝送され、タッチパネルに表示され、第一又は第二物体の標示が押されると、リモコンチップは第一又は第二物体の機能の標示を読み取り、タッチパネルに表示させ、標示が押されると、その入力信号は順に携帯電話チップ、リモコンチップ、発信装置に転送され、無線信号に変換され、第一又は第二物体に転送された後、第一又は第二物体を操作できる。【選択図】図３
2012151828.tif 000002
【特許請求の範囲】
【請求項１】
ユーザーによる入力信号を受信するタッチパネルと、
前記タッチパネルから送信された入力信号を受信する携帯電話チップと、リモコン及び携帯電話を交互に切り換えることができるスイッチと、前記携帯電話チップに接続されるリモコンチップと、記憶装置と、発信装置と、
を備えてなる携帯電話であって、前記記憶装置は、１つのメニューモジュールと、１つの第一物体モジュールと、１つの第二物体モジュールと、を備え、前記メニューモジュールには、第一物体及び第二物体の標示が記録され、前記第一物体モジュール及び前記第二物体モジュールには、それぞれ前記第一物体及び前記第二物体のリモコンデータと複数の機能の標示とが記録され、
前記スイッチが押され、携帯電話がリモコン機能に切り換えられると、前記第一物体及び前記第二物体の標示が前記リモコンチップに読み取られ、すぐに前記携帯電話チップに転送された後、前記タッチパネルに表示され、
前記第一物体の標示又は前記第二物体の標示が押されると、前記携帯電話チップに送信された入力信号は前記リモコンチップに送信され、前記リモコンチップは前記入力信号に基づいて第一物体又は第二物体の複数の機能の標示を読み取り、前記タッチパネルに表示し、
前記複数の機能の標示が押されると、その入力信号は順に前記携帯電話チップ、前記リモコンチップ、前記発信装置に転送され、前記発信装置は前記入力信号を無線信号に変換し、第一物体又は第二物体に転送した後、第一物体又は第二物体を操作可能にすることを特徴とする携帯電話。
【請求項２】
前記記憶装置は更に１つのスペアモジュールを備え、前記スペアモジュールには別の物体のリモコンデータ及び複数の機能の標示が記録されることを特徴とする請求項１に記載の携帯電話。
【発明の詳細な説明】
【技術分野】
【０００１】
本発明は、携帯電話に関するものであって、特に、リモコン機能を有する携帯電話に関するものである。
【背景技術】
【０００２】
現在、例えばテレビ・オーディオ機器・ドア・エアコン・車等多くの物がリモコンで操作できるようになった。また、これらに対応するリモコンも多種にわたる。しかし、操作する際には、それぞれのリモコンを用意しなければならず、しかも、家にいる時、リモコンが見つからない場合もある。また、外出する際も、複数のリモコンを持たなければならないため、極めて不便である。
【発明の概要】
【発明が解決しようとする課題】
【０００３】
本発明の目的は、前記課題を解決し、リモコン機能を有する携帯電話を提供することである。
【課題を解決するための手段】
【０００４】
上記目的を達成するために、本発明に係る携帯電話は、入力信号を受信するタッチパネルと、前記タッチパネルから送信された入力信号を受信する携帯電話チップと、リモコン及び携帯電話を交互に切り換えることができるスイッチと、携帯電話チップに接続されるリモコンチップと、記憶装置と、発信装置と、を備え、前記記憶装置は、１つのメニューモジュールと、１つの第一物体モジュールと、１つの第二物体モジュールと、を備え、前記メニューモジュールには、第一物体及び第二物体の標示が記録され、前記第一物体モジュール及び第二物体モジュールには、それぞれ前記第一物体及び前記第二物体のリモコンデータと複数の機能の標示とが記録され、前記スイッチが押され、携帯電話がリモコン機能に切り換えられると、前記第一物体及び第二物体の標示は前記リモコンチップに読み取られ、すぐに前記携帯電話チップに転送された後、前記タッチパネルに表示され、前記第一物体の標示又は第二物体の標示が押されると、前記携帯電話チップに送信された入力信号は前記リモコンチップに送信され、前記リモコンチップは前記入力信号に基づいて第一物体又は第二物体の複数の機能の標示を読み取り、前記タッチパネルに表示させ、前記複数の機能の標示が押されると、その入力信号は順に携帯電話チップ、前記リモコンチップ、前記発信装置に転送され、前記発信装置は前記入力信号を無線信号に変換し、第一物体又は第二物体に転送した後、第一物体又は第二物体を操作可能にする。
【発明の効果】
【０００５】
本発明に係る携帯電話のリモコンチップは、前記携帯電話チップから送信される信号を受信し、前記発信装置を経て、前記信号を物体に転送することにより、物体を操作することができる。
【図面の簡単な説明】
【０００６】
【図１】本発明の実施形態に係る携帯電話の構造を示す図である。
【図２】図１に示す携帯電話の機能のブロック図である。
【図３】図１に示す携帯電話のタッチパネルの斜視図である。
【図４】図１に示す携帯電話のタッチパネルの斜視図である。
【発明を実施するための形態】
【０００７】
図１に示したように、本発明の実施形態に係る携帯電話は、発信装置１０と、リモコンチップ１２と、携帯電話チップ１５と、タッチパネル１６と、スイッチ１９と、記憶装置２０と、を備える。
【０００８】
前記携帯電話チップ１５は、前記タッチパネル１６に接続され、前記タッチパネル１６から送信された入力信号を受信する。前記携帯電話チップ１５及び前記タッチパネル１６は、その機能が現用の携帯電話に設置されている携帯電話チップ及びタッチパネルチップと同じである。
【０００９】
前記スイッチ１９を押すことにより、携帯電話を携帯電話機能或いはリモコン機能と交互に切り換えることができる。前記スイッチ１９を押し、携帯電話をリモコン機能に切り換えると、前記携帯電話チップ１５は、リモコンチップ１２に接続される。次いで、前記携帯電話チップ１５は、前記タッチパネル１６から送信された入力信号を受信し、前記入力信号を前記リモコンチップ１２に転送する。
【００１０】
前記発信装置１０は、前記リモコンチップ１２に接続される。前記発信装置１０は、前記リモコンチップ１２から送信された入力信号を受信し、前記入力信号を無線リモコン信号に変換してから、前記無線リモコン信号を物体に送信する。本実施形態において、前記発信装置１０は、赤外線或いはブルートゥース（登録商標）などの無線送信により送信する。
【００１１】
図２を共に参照すると、前記記憶装置２０は、１つのメニューモジュール２００と、１つの第一物体モジュール２１０と、１つの第二物体モジュール２２０と、１つのスペアモジュール２３０と、を備える。前記第一物体モジュール２１０及び第二物体モジュール２２０には、それぞれ、第一物体及び第二物体を操作するためのリモコンデータが記録される。本実施形態において、エアコン及びテレビを例に説明する。図３に示されたように、前記第一物体はテレビであり、前記第二物体はエアコンである。他の実施形態において、より多くの物を操作できるよう、前記記憶装置２０は、更に多くの物体モジュールを設置することが可能である。
【００１２】
前記第一物体及び前記第二物体の標示は、前記メニューモジュール２００に記録される。前記スイッチ１９が押され、携帯電話がリモコン機能に切り換えられると、前記リモコンチップ１２は、前記メニューモジュール２００から、前記第一物体及び前記第二物体の標示を読み取り、前記携帯電話チップ１５に転送する。次いで、前記第一物体及び前記第二物体の標示が前記タッチパネル１６に転送され表示される。
【００１３】
これにより、使用者は、タッチパネル１６によって、操作したい物体の選択が可能である。例えば、テレビを操作したい場合、タッチパネル１６に表示されたテレビの標示を押せば、入力信号は前記携帯電話チップ１５に転送される。前記携帯電話チップ１５に変換された入力信号は、前記リモコンチップ１２に転送される。前記リモコンチップ１２は前記第一物体モジュール２１０を読み取り、前記第一物体モジュール２１０に記録されたリモコンデータ、例えば電源オン、電源オフ、チャンネル選択等の機能の標示を前記携帯電話チップ１５に再度転送する。これにより、図４に示したように前記機能の標示が前記タッチパネル１６に表示される。
【００１４】
また、使用者は１つの機能の標示を押せば、前記タッチパネル１６は、新しい入力信号を携帯電話チップ１５に転送する。前記入力信号は、順に前記携帯電話チップ１５、前記リモコンチップ１２、前記発信装置１０に読み取られてから、前記発信装置１０によって無線信号に変換される。これにより、前記発信装置１０は前記無線信号をテレビに転送し、テレビを操作することができる。
【００１５】
前記スペアモジュール２３０は、更に新しい物体を記録したい際、その都度新たに記録できるよう設置されている。使用者は、新しい物体を記録したい場合、インターネット又はパソコンでその物体のリモコンデータを前記スペアモジュール２３０にダウンロードすればよい。前記スペアモジュール２３０は１つに限らず、携帯電話の容量に応じて、より多くのスペアモジュールの設置が可能である。
【符号の説明】
【００１６】
１０  発信装置
１２  リモコンチップ
１５  携帯電話チップ
１６  タッチパネル
１９  スイッチ
２０  記憶装置
２００  メニューモジュール
２１０  第一物体モジュール
２２０  第二物体モジュール
２３０  スペアモジュール
【図１】
2012151828.tif 000003
【図２】
2012151828.tif 000004
【図３】
2012151828.tif 000005
【図４】
2012151828.tif 000006